(57)【要約】【課題】手摺の支持具が上下方向（手摺が縦方向へ設置される場合は左右方向）と共に前後方向をも調節可能であると共に、その二つの調節を同時に行えるようにでき、更に間柱や横桟の存在に制約を受けることなく、手摺の設置位置に応じて支持具を配置できる構成とせんとする。【解決手段】基部に取付面固定部材８、先部に手摺取付部材１３を有し、伸縮して長さを決定できる腕部材４より成り、腕部材４は取付面固定部材８へ取付面に対し起倒可能に連結してあり、手摺取付部材１３は手摺２に取り付け可能と成っているものである。【選択図】図１
2004244855.tif 000002
【特許請求の範囲】
【請求項１】
基部に取付面固定部材、先部に手摺取付部材を有し、伸縮して長さを決定できる腕部材より成り、腕部材は取付面固定部材へ取付面に対し起倒可能に連結してあり、手摺取付部材は手摺に取り付け可能と成っていることを特徴とする手摺の支持具。
【請求項２】
基部に取付面固定部材、先部に手摺取付部材を有し、伸縮して長さを決定できる一対の腕部材より構成され、各腕部材は各々の取付面固定部材へ取付面に対し起倒可能に連結してあり、各腕部材の先部は共通の手摺取付部材に各々軸着されていることを特徴とする手摺支持具。
【発明の詳細な説明】
【０００１】
【発明の属する技術分野】
本発明は、主に家屋内に設置する各種手摺の設置場所を位置決めして支持する支持具に関するものである。
【０００２】
【従来の技術】
各種手摺の設置する場所を調節可能に位置決めする支持具又は支持装置としては、例えば特開２００１ー３１７１７３、特開２００１ー２７０２６、特開平６ー２１２７６１及び特開平１０ー４６７７７等が公知と成っている。
【０００３】
そして、これらの４件の公報のうち、１番目から３番目までの公報は手摺の上下位置を調節可能にすることを目的とし、最後の４番目の公報は前後位置の調節を可能とすることを目的としたものである。
【０００４】
【発明が解決しようとする課題】
上記のように、これまでの手摺を支持し位置決めする支持具は、手摺が横方向へ設置される場合に、上下方向又は前後方向への調節は可能であるが、上下及び前後を共に調節することを目的とするものは存在しない。
又、支持具の壁面への固定は、間柱や横桟の存在に制約を受け、手摺の自由な位置決めに支障となっている。
【０００５】
そこで、本発明は手摺の支持具が上下方向（手摺が縦方向へ設置される場合は左右方向）と共に前後方向をも調節可能であると共に、その二つの調節を同時に行えるようにでき、更に間柱や横桟の存在に制約を受けることなく、しかも天井や床への固定も可能とし、手摺の設置位置に応じて支持具を配置できる構成とせんとするものである。
【０００６】
【課題を解決するための手段】
本発明の請求項１は、基部に取付面固定部材、先部に手摺取付部材を有し、伸縮して長さを決定できる腕部材より成り、腕部材は取付面固定部材へ取付面に対し起倒可能に連結してあり、手摺取付部材は手摺に取り付け可能と成っていることを特徴とするものである。
【０００７】
伸縮する腕部材の基部の取付面固定部材が手摺に対して取付面に固定され、先部の手摺取付部が手摺へ取り付けるために、腕部材が伸縮することで手摺の位置に応じられる支持具と成るものである。
【０００８】
腕部材は取付面固定部材と取付面に対して起倒可能に連結されているから、腕部材の伸縮方向に応じて角度を自在に合わせられる。
又、腕部材の長さが伸縮することで手摺の位置に応じられると共に、取付面を自由に決定できるから、壁面、天井面或いは床面の支持の強固な面を選んで取付面固定部材を固定することができる。
【０００９】
請求項２の発明は、基部に取付面固定部材、先部に手摺取付部材を有し、伸縮して長さを決定できる一対の腕部材より構成され、各腕部材は各々の取付面固定部材へ取付面に対し起倒可能に連結してあり、各腕部材の先部は共通の手摺取付部材に各々軸着されていることを特徴とするものである。
【００１０】
一対の伸縮する腕部材の基部の取付面固定部材が手摺に対して取付面に固定され、先部の手摺取付部が手摺へ取り付けられるため、各腕部材が伸縮することで取付面固定部材を結ぶ想像線と各腕部材とで三角形（例外的に想像線上に直線を形成することもあるけれど）を形成することとなり、各腕部材の長さが決定されれば安定した支持具を構成できる。
【００１１】
そして、一頂部を形成する手摺取付部の位置に手摺が位置することと成るから、各腕部材が伸縮することで手摺の位置が上下及び左右の位置を自在に変化させて決定することができるのである。
【００１２】
各腕部材は取付面固定部材と取付面に対して起倒可能に連結されているから、各腕部材の伸縮に応じて角度を自在に合わせられ、各腕部材の長さを決定して固定することで形成された三角形状も固定されるため、手摺を強固に支持できるものとなり、又取付面の選択が自由となることは請求項１の取付具と同様である。
【００１３】
他方、一対の腕部材の先端部が共通の手摺取付部材に軸着しているため、両腕部材が連動して伸縮し、位置決めを行えるものとなり、各腕部材の伸縮によって起倒する場合も軸部で回動して応じられるものである。
【００１４】
【発明の実施の形態】
次に、本発明の実施の形態を図面に基づいて説明する。
図１は請求項１の本発明の一実施の形態を示す側面図であり、壁面（取付面）１の横方向に装置した支持具３、３、３、３…で手摺２を設置せんとするものである。
【００１５】
支持具３は腕部材４、取付面固定部材８及び手摺取付部材１３より成り、腕部材４は外筒パイプ５、内挿ロッド６及び止めネジ７で構成し、内挿ロッド６が外筒パイプ５内を摺動して腕部材４の長さを長短自在に設定でき、外筒パイプ５に止めネジ７を螺入し、決定した腕部材４の長さを固定するものである。
【００１６】
腕部材４の基部となる外筒パイプ５の基端は、取付面固定部材８の取付片９へ起倒可能に軸着１０し、取付面固定部材８の座板１１の取付孔に取付用ネジ１２を挿通して壁面（支持面）１に固定するものであり、取付面固定部材８は設置する手摺２に対して横桟２１のある壁面１を任意に選んで固定してある。
【００１７】
一方、腕部材４の先部となる内挿ロッド６の先端は、手摺取付部材１３が一体に連設してあり、手摺取付部材１３は手摺２が挿通する環体１４で固定用ネジ１５で止着できるようにしてある。
【００１８】
したがって、腕部材４の長さを任意に長短とすることによって、上下・前後の任意位置に設定した手摺２を支承することができるものである。
又、手摺２の設置高さや長手方向の適宜位置に支持具を固定する横桟や間柱等が存在しない場合でも、取付面固定部材８を横桟２１のある部位或いは間柱や天井・床等に固定して腕部材４の長さを調節すればよいため、手摺２の設置位置に制約を受けることなく、対応して取付面固定部材８を固定できるのである。
【００１９】
図１及び図４では、二つの支持具３、３が手摺２に対して壁面１の上下の位置に近接して対向して配置させているけれど、図５に示すように間隔を設けて配置してもよい。
又、常に手摺２に対して同数の支持具３を対向して配置することを要件とするものでなく、図６に示す複数例のように、側面から別地点の取付面固定部材８、８を結ぶ想像線と各腕部材４、４とで三角形状を形成する配置であれば、各取付面固定部材８、８と各腕部材４、４との起倒が互いに干渉し合って固定され、手摺を支持できるのである。
【００２０】
更に、図７のように上下方向に設置する手摺２を支承する場合にも、本発明に係る支持具３は有効に利用できるものである。
【００２１】
図８は請求項２に係る発明の一実施の形態を示す側面図、図７は正面図であり、一対の腕部材４Ａ、４Ｂを連結して構成するもので、腕部材４Ａ、４Ｂ、取付面固定部材８Ａ、８Ｂ及び両部材の関係は請求項１の支持具３と同じであるため、該当部は同一符号にＡ、Ｂを付加して付してある。
そして、手摺取付部材１６を共通部材としたもので、手摺取付部材１６は連結片１７と、その前方の支承面１８で構成され、連結片１７に腕部材４Ａ、４Ｂの先端を上下位置に軸着１９Ａ、１９Ｂし、支承面１８に手摺２を載置固定２０するものである。
【００２２】
ゆえに、手摺２に応じて腕部材４Ａ、４Ｂを伸縮して長さを決定し、取付面固定部材８Ａ、８Ｂを任意場所に固定すれば、側面が三角形状と成った支持具３は手摺２を強固に支持するものである。
【００２３】
上記、図面に基づく実施の形態は一例であり、腕部材の伸縮・固定する構成、腕部材と取付面固定部材や手摺取付部材との構成、或いは各部の固定・止着手段等が限定されるものでなく、他の構成又は固定手段等で同一の作用を奏する構成・手段であってもよい。
更に、手摺取付部材の支承面の角度を変えることによって、階段のように傾斜した手摺にも利用できるものである。
【００２４】
【発明の効果】
以上のように、本発明は手摺の任意の設置位置に応じて、支持具を壁面等に固定して手摺を支承できるものであり、手摺の設置高さと同時に壁面からの前後位置にも自在に応じられる効果を有し、しかも、その二つの調節を同時に行えるものである。
【００２５】
そして、従来支持具の壁面への固定位置は間柱や横桟の存在に制約を受けるか、特別に固定用桟を増設する必要があったけれど、本発明は既存の間柱や横桟或いは天井面や床面をそのまま利用して任意の位置に手摺の支承面を対応させれる効果を有するものである。
【図面の簡単な説明】
【図１】本発明の一実施の形態を示す側面図である。
【図２】腕部材の要部を示す部分図である。
【図３】取付面固定部材を示す正面図である。
【図４】手摺取付部材を示す正面図である。
【図５】本発明の他の使用状態を示す正面図である。
【図６】本発明の他の使用状態を示す正面図である。
【図７】本発明の他の使用状態を示す正面図である。
【図８】手摺取付部材の他の実施の形態を示す側面図である。
【図９】図６の正面図である。
【符号の説明】
１  壁面
２  手摺
３  支持具
４、４Ａ、４Ｂ  腕部材
５、５Ａ、５Ｂ  外筒パイプ
６、６Ａ、６Ｂ  内挿ロッド
７、７Ａ、７Ｂ  止めネジ
８、８Ａ、８Ｂ  取付面固定部材
９、９Ａ、９Ｂ  取付片
１０、１９Ａ、１９Ｂ  軸着
１１、１１Ａ、１１Ｂ  座板
１２、１２Ａ、１２Ｂ  取付用ネジ
１３、１６  手摺取付部材
１４  環体
１５  固定用ネジ
１７  連結片
１８  支承面
２１  横桟
【図１】
2004244855.tif 000003
【図２】
2004244855.tif 000004
【図３】
2004244855.tif 000005
【図４】
2004244855.tif 000006
【図５】
2004244855.tif 000007
【図６】
2004244855.tif 000008
【図７】
2004244855.tif 000009
【図８】
2004244855.tif 000010
【図９】
2004244855.tif 000011